(57)【特許請求の範囲】
【請求項１】
光モジュールを制御するための装置であって、前記装置は、
電力信号と制御信号との組み合わせである第１の信号によって運ばれる第１の制御情報を検出する第１の回路と、
第１の制御情報を第２の制御情報に変換する第２の回路であって、第１の制御情報及び第２の制御情報は前記光モジュールの光設定を規定し、第２の制御情報の表現は第１の制御情報の表現とは異なり、第２の制御情報は前記光モジュールの制御入力向けの制御信号である第２の信号によって運ばれる、第２の回路と、
第１の信号から、前記光モジュールの電力入力向けの電力信号である第３の信号へと電力を変換する第３の回路とを含み、
第２の信号はバス規定、プロトコル規定又はインタフェース規定に準拠する、装置。
【請求項２】
第１の制御情報は位相カット調光情報又は第１のデータを含み、第２の制御情報は第２の信号のパラメータ又は第２のデータを含む、請求項１に記載の装置。
【請求項３】
第１及び第２の制御情報は前記光モジュールの異なる光設定を規定する、請求項１に記載の装置。
【請求項４】
第１の回路は、第１の制御情報を検出する検出器又は第１の制御情報を検出するコントローラを含む、請求項１に記載の装置。
【請求項５】
第２の回路はアイソレータの前にコントローラを含む、請求項１に記載の装置。
【請求項６】
第２の回路はフィルタの前にアイソレータを含む、請求項１に記載の装置。
【請求項７】
第２及び第３の信号は同じ出力によって供給される、請求項１に記載の装置。
【請求項８】
第２の信号が第１の制御情報によって規定された振幅を有するＤＣ信号であり、第３の信号が一定の振幅を有するＤＣ信号である、請求項１に記載の装置。
【請求項９】
第３の回路は、
第４の回路に結合されたフライバック変圧器の補助巻線によってピーク電圧を検出する検出回路と、
検出された前記ピーク電圧と基準値との差を決定する決定回路と、
前記差を積分又は平均し、積分された又は平均された前記差を第４の回路のフィードバック入力に提供する積分又は平均回路とを含む、
請求項１に記載の装置。
【請求項１０】
第３の回路が電源を含み、第１、第２、及び第３の回路がルータに結合されるか又は前記ルータの一部を形成する、請求項１に記載の装置。
【請求項１１】
第１、第２及び第３の回路が、第２及び第３の信号を互いに別々に供給する２つの別個の出力を有する１つのデバイスの一部を形成する、請求項１に記載の装置。
【請求項１２】
第１、第２及び第３の回路が、第２及び第３の信号の組み合わせを供給するための１つの出力を有する１つのデバイスの一部を形成する、請求項１に記載の装置。
【請求項１３】
請求項１に記載の装置から第２の信号を受信する発光ダイオード回路を含む、光モジュール。
【請求項１４】
請求項１に記載の装置から第３の信号を受信する、請求項１３に記載の光モジュール。
【発明の詳細な説明】
【技術分野】
【０００１】
本発明は、光モジュールの制御装置に関する。本発明は、更に光モジュールに関する。このような光モジュールの例は、発光ダイオード回路を含む光モジュールである。
【背景技術】
【０００２】
米国特許出願公開第２０１２／０２６２０８４Ａ１号は、定電圧調光可能ＬＥＤドライバを開示する。
【発明の概要】
【発明が解決しようとする課題】
【０００３】
本発明の目的は、光モジュールの制御装置を提供することである。本発明の更なる目的は、光モジュールを提供することである。
【課題を解決するための手段】
【０００４】
第１の局面によれば、光モジュールの制御装置が提供され、装置は、
第１の制御情報を検出する第１の回路であって、第１の制御情報は、第１の信号によって運ばれる、第１の回路と、
第１の制御情報を第２の制御情報に変換する第２の回路と、
を含み、第１及び第２の制御情報は光モジュールの光設定を規定し、第２の制御情報の表現は第１の制御情報の表現とは異なり、第２の制御情報は第２の信号によって運ばれ、第１の信号は電力信号及び制御信号の組み合わせであり、第２の信号は制御信号である。
【０００５】
装置は、第１の信号によって運ばれる第１の制御情報を検出する第１の回路を含む。第１の信号は、電力信号及び制御信号の組み合わせである。第１の制御信号を含むこのような第１の信号は、例えば従来の調光器から生じる。装置は、第１の制御情報を第２の制御情報に変換する第２の回路を更に含む。第１及び第２の制御情報は、光パラメータ、強度及び色点等の光モジュールの光設定を規定する。第２の制御情報は、第２の信号によって運ばれる。第２の信号は、制御信号である。
【０００６】
電力信号は、負荷に電力を供給するように構成される。制御信号は、負荷に電力を供給するように構成されない。電力信号は、負荷に電力を供給するのに十分な電力量を含む。制御信号は、負荷に電力を供給するのに十分な電力量を含まない。制御信号は、制御情報を運ぶように構成される。その結果、光モジュールの制御を光モジュールの電力供給から切り離す装置が生み出された。このような装置は、手動の従来の調光器と組み合わせて使用されてもよいが、前記手動の従来の調光器よりも多くの制御選択肢を提供する。これは大きな利点である。
【０００７】
装置の一実施形態は、位相カット調光情報又は第１のデータを含む第１の制御情報及び第２の信号のパラメータ又は第２のデータを含む第２の制御情報によって規定される。従来の調光器から生じた場合、第１の制御情報は、位相カット調光情報でもよい。デジタル調光器から生じた場合、第１の制御情報は、第１のデータでもよい。第１の信号によって運ばれる第１の制御情報は、光強度情報を搬送する従来の位相カット調光情報でもよいが、電力線通信情報、デジタル負荷線伝送情報及び電力線プロトコル情報等の変調情報（アナログ又はデジタル方式で変調された）でもよい。この第１の信号は、グループ制御情報又は色点情報等の、色強度以上の情報も搬送することができる。第１の制御情報の両種類の各々は、第２の信号の振幅、タイミング、パルス幅、若しくはパルス高さ等の第２の信号のパラメータ又は第２のデータに変換されてもよい。
【０００８】
装置の一実施形態は、光モジュールの異なる光設定を規定する第１及び第２の制御情報によって規定される。これらの差は、パラメータ値のフィルタリング若しくは再マッピング又は異なる制御側面への変換（光の強度の調光に伴った色温度の制御等）に帰する場合がある。
【０００９】
装置の一実施形態は、バス規定、プロトコル規定又はインタフェース規定に従った第２の信号によって規定される。バス規定、プロトコル規定及びインタフェース規定は、制御情報を運ぶのによく適している。第２の信号は、システムのモジュール方式を向上させるインタフェースによって提供され得る。例えば、光モジュールを取り換えるだけで、更なる製品を簡単に開発することができる。
【００１０】
装置の一実施形態は、第１の制御情報を検出する検出器又は第１の制御情報を検出するコントローラを含む第１の回路によって規定される。第１の制御情報は、本物の検出器によって又は検出器として機能するマイクロコントローラ等のコントローラによって検出することができる。
【００１１】
装置の一実施形態は、アイソレータが後に続くコントローラを含む第２の回路によって規定される。第１の制御情報は、ガルバニックアイソレーションを提供するオプトカプラ等のアイソレータが後に続くマイクロコントローラ等のコントローラによって、第２の制御情報へと変換することができる。
【００１２】
装置の一実施形態は、フィルタが後に続くアイソレータを含む第２の回路によって規定される。第１の制御情報は、積分ＲＣフィルタ等のフィルタが後に続くガルバニックアイソレーションを提供するオプトカプラ等のアイソレータによって、第２の制御情報へと変換することができる。この実施形態は、情報の表現を変更すること及び情報の値を修正することを可能にする。情報の内容を修正する理由の例は、アーチファクト（電源の外乱及びＥＭＣ干渉信号等）の除去、信号の平滑化（快適ではないと認識される急激な変化を避ける為）、調光曲線の変更（例えば３０〜１５０度の位相カット角を、例えば１％又は１０％〜１００％の特定の（場合により非線形）光強度曲線へと再マッピングする為）、並びに光強度シフト及び／又は色点シフト（ディムトーン、黒体線調光、サンセット調光等としても知られる）への位相角の変更であり得る。
【００１３】
装置の一実施形態は、
第１の信号から第３の信号へと電力を変換する第３の回路を更に含むことによって規定され、第３の信号は、光モジュールの電力入力向けの電力信号であり、第２の信号は、光モジュールの制御入力向けのものである。
【００１４】
第３の回路は、第１の信号から第３の信号へと電力を変換する。第３の信号は、光モジュールの電力入力向けの電力信号である。第２の信号は、光モジュールの制御入力向けの制御信号である。制御及び電力入力は、光モジュールの異なる端子でもよいし、又は光モジュールの同じ端子でもよい。第２及び第３の信号は、異なる信号でもよいし、又は包括的信号（umbrella signal）の部分を形成してもよいが、常に互いに明瞭に区別することができる。好ましくは、第２及び第３の信号は、異なる結合により運ばれる異なる信号となる。
【００１５】
装置の一実施形態は、同じ出力によって供給される第２及び第３の信号によって規定される。同じ出力によって供給される場合であっても、第２及び第３の信号は、互いに明瞭に区別することができる。
【００１６】
好ましくは、第３の信号は、最大電流保護を有し得る。加えて、装置は、電流制限器を備えていてもよい。
【００１７】
装置の一実施形態は、第２の信号が第１の制御情報によって規定された振幅を有するＤＣ信号であり、第３の信号が比較的一定の振幅を有するＤＣ信号であることによって規定される。次世代の光モジュールは、アナログＤＣ制御信号（例えば１ボルト〜１０ボルトの振幅を有する）等又はデジタル制御信号（例えばインタフェース形式を有する）等の別個の制御信号によって制御されることが期待され、ＤＣ電力信号によって電力が供給されることが期待される。
【００１８】
装置の一実施形態は、
第４の回路に結合されたフライバック変圧器の補助巻線によってピーク電圧を検出する検出回路と、
検出されたピーク電圧と基準値との差を決定する決定回路と、
差を積分又は平均し、第４の回路のフィードバック入力に積分された又は平均された差を提供する積分又は平均回路と、
を含む第３の回路によって規定される。
【００１９】
第４の回路は、第１の制御情報に応答して出力電流を生成し、検出回路、決定回路、及び積分又は平均回路の導入によって出力電圧を生成するように構成された既存の集積回路でもよい。代替的に、第４の回路は、検出回路、決定回路、及び積分又は平均回路と共に、新規の集積回路の形態でもよい。
【００２０】
装置の一実施形態は、第３の回路が電源を含み、第１、第２、及び第３の回路がルータに結合される又はルータの一部を形成することによって規定される。ルータは、例えば、第２の回路から来たＩＰ信号によって制御されてもよい。代替的に、ルータは、第１、第２、及び第３の回路等の１つ又は複数を含んでもよい。
【００２１】
装置の一実施形態は、第１、第２及び第３の回路が、第２及び第３の信号を互いに別々に供給する２つの別個の出力を有する又は第２及び第３の信号の組み合わせを供給する為の１つの出力を有する１つのデバイスの一部を形成することによって規定される。
【００２２】
更に、一方での第１及び第２の回路並びに他方での第３の回路は、過度に制限的に見られるものではない。第３の回路は、第１及び第２の回路とは完全に独立して使用されてもよい。つまり、装置は、第１及び第２の回路が全く存在すること無く、第３の回路を含んでもよい。
【００２３】
第２の局面によれば、上記に規定された装置から第２の信号を受信する発光ダイオード回路を含む光モジュールが提供される。
【００２４】
光モジュールの一実施形態は、光モジュールが上記に規定された装置から第３の信号を受信することによって規定される。
【００２５】
発光ダイオード回路は、任意の種類及び任意の組み合わせの１つ又は複数の発光ダイオードを含む。
【００２６】
ランプの制御及び電力供給を行う１つの信号は、制御選択肢の数の増加を比較的複雑にする。基本的着想は、光モジュールの制御が光モジュールの電力供給と切り離されることである。
【００２７】
光モジュールの制御装置を提供する為の問題点は解決された。更なる利点は、より多くの制御選択肢が可能となった点である。
【００２８】
本発明のこれら及び他の局面は、以下に記載される実施形態を参照すれば、明白となり解明されるであろう。
【図面の簡単な説明】
【００２９】
【図１】第１及び第２の回路の一実施形態を示す。
【図２】第２の回路の一実施形態を示す。
【図３】第３の回路の一実施形態を示す。
【図４】第３の回路の実施形態の具体化を示す。
【図５】ルータを備えた装置の一実施形態を示す。
【図６】光モジュールの一実施形態を示す。
【図７】第１及び第２の回路の別の実施形態を示す。
【発明を実施するための形態】
【００３０】
図１では、第１及び第２の回路１、２の一実施形態が示される。例えば、第１の回路１は、例えばトライアック調光器等の従来の調光器から来た第１の信号の位相カットを検出する為及びパルス幅変調信号を供給する為の位相カット検出器を含む。パルス幅変調信号のパルス幅は、検出された位相カットに依存し、検出された位相カットに例えば比例し得る。例えば、第２の回路２は、例えばパルス幅変調信号をＤＣ電圧信号へと変換する平滑化関数を有するＲＣフィルタ等のフィルタが後に続く、例えばオプトカプラ等のアイソレータを含む。ＤＣ電圧信号の振幅は、パルス幅に依存し、パルス幅に例えば比例し得る。
【００３１】
代替的に、第１の回路１は、例えば図３に関して説明されるような第４の回路によって実現されてもよいし、又は例えば図７に示されるように実現されてもよい。
【００３２】
図２では、第２の回路２の一実施形態が示される。例えば、第２の回路２は、例えばオプトカプラ等のアイソレータが後に続くコントローラを含む。コントローラは、図３に関して説明されるような第４の回路の特定のピンに接続されてもよい。代替的に、第２の回路２は、つまり、図７に示されるように実現されてもよい。
【００３３】
図３では、第３の回路３の一実施形態が示される。第３の回路３は、第４の回路４に結合されたフライバック変圧器６の補助巻線によってピーク電圧を検出する検出回路３１を含む。第３の回路３は、検出されたピーク電圧と端子３４によって提供された基準値との差を決定する決定回路３２を更に含む。第３の回路３は、上記差を積分又は平均し、第４の回路４のフィードバック入力４３に積分された又は平均された差を提供する積分又は平均回路３３を更に含む。
【００３４】
例えば市販の集積回路等の第４の回路４は、例えばトライアック調光器等の従来の調光器から例えば生じる第１の信号によって運ばれる第１の制御情報を検出する為に使用される。つまり、第４の回路４は、第１の回路１の役割を果たし、それによって、図２に示されるような第２の回路２が第４の回路４の例えばＩ２Ｃピンに接続されてもよく、これらのピンは、ここでは不図示である。
【００３５】
フライバック変圧器６の二次側主巻線は、フィルタリング回路６５を介して発光ダイオード回路を含むランプ７に結合される。フライバック変圧器６の一次側主巻線は、ツェナーダイオード６１及びダイオード６２の直列接続と並列に結合され、トランジスタ４５及びレジスタ４７の主電極の直列接続に直列に結合される。トランジスタ４５の制御電極は、レジスタ４４を介して第４の回路４の出力端子に結合される。トランジスタ４５とレジスタ４７との共通点は、レジスタ４６を介して第４の回路４のフィードバック入力４３に結合される。ここで例えば二次側のフライバック変圧器６の補助巻線は、２つのレジスタ６３、６４の直列接続に直列に結合される。補助巻線と直列接続との間の共通点は、検出回路３１の入力に（場合によりレジスタを介して）結合され、２つのレジスタ６３と６４との間の共通点は、第４の回路４の別のフィードバック入力４２に結合される。第３の回路３の出力は、フィードバック入力４３に（場合によりレジスタを介して）結合される。
【００３６】
先行技術の状況では、第４の回路４及びフライバック変圧器６の組み合わせが、電流信号をランプ７に供給し、電流信号は、位相カット等の第１の制御情報に依存する振幅を有する。改善された状況では、第３の回路３を追加したことによって、第４の回路４及びフライバック変圧器６の組み合わせが、電圧信号をランプ７に供給し、電圧信号は、固定振幅を有する。ランプ７の制御は、例えば図２に示されるような第２の回路２を同じく以前に説明したような図３に加えることによって実現されるものであり、それによって、ランプ７は、例えば図６に示されるような光モジュール５によって置き換えられるものである。
【００３７】
図３では、例えば電磁干渉段、バイアス段、ブースト段、定常状態供給段、及びアクティブクランプ段において、より多くの構成要素が存在してもよく、フライバック変圧器６は、フライバック段等の中心部を形成する。図３では、第３の回路３は、第４の回路４及びフライバック変圧器６と協働して、第１の信号から第３の信号へと電力を変換し、第３の信号は、図６により更に説明されるような光モジュール５の電力入力向けの電力信号である。同ように、第２の回路２によって生成される第２の信号は、図６により更に説明されるような光モジュール５の制御入力向けでもよい。
【００３８】
図４では、第３の回路３の実施形態の具体化が示される。検出回路３１は、第３の回路３の入力を形成するアノード及びコンデンサ７２を介して接地に結合されたカソードを備えたダイオード７１によって実現される。決定回路３２は、前記カソードに結合された第１の入力、前記端子３４に結合された第２の入力、及びレジスタ７４に結合された出力を備えた増幅器７３によって実現される。積分又は平均回路３３は、前記レジスタ７４に結合された入力及び第３の回路３の出力を形成するレジスタ７７に結合された出力を備えた増幅器７５によって実現される。コンデンサ７６は、増幅器７５の出力をこの増幅器７５の入力にフィードバックする為に使用される。
【００３９】
図５では、ルータ８を備えた装置の一実施形態が示される。装置は、前述のような第１及び第２の回路１、２を含み、例えば電源の形態の第３の回路３を含み、それによって第３の回路３の出力がルータ８の電力入力に結合され、それによって第２の回路２の出力がルータ８の制御入力に結合される。ルータ８は、装置の一部を形成してもよいし、又はしなくてもよい。第１、第２、及び第３の回路１、２、及び３の１つ又は複数は、ルータ８の一部を形成してもよいし、又はしなくてもよい。ルータ８の出力は、例えばカテゴリー５ケーブル等のケーブルに接続されてもよい。
【００４０】
図６では、光モジュール５の一実施形態が示される。光モジュール５は、電源を含む場合には第３の回路３から、又は図３における第３及び第４の回路３、４と組み合わせて使用される場合にはフライバック変圧器６の二次側主巻線から電力信号（第３の信号）を受信する電力入力５１を含む。光モジュール５は、第２の回路２から制御信号（第２の信号）を受信する制御入力５２を含む。光モジュール５は、電力入力５１及び発光ダイオード回路５５の入力に結合された電力ユニット５３、並びに、制御信号に応答して電力ユニット５３を制御する為の制御入力５２及び電力ユニット５３の制御入力に結合された制御ユニット５４を更に含む。ユニット５３、５４及び回路５５は、更に接地に結合される。接地の代わりに、二線解決策が選択されてもよい。代替的に、両入力５１及び５２が、同じ入力によって実現されてもよく、それによって、ユニット５３、５４が第２及び第３の信号を区別するように構成される。代替的に、前記区別の為に別のユニットが存在してもよい。電力ユニット５３は、例えば、電圧−電流変換器等を含んでもよい。制御ユニット５４は、例えばプロセッサ又はマイクロコントローラ等を含んでもよい、並びに、例えばその入力及び出力に加えて、例えば制御を日光の量等に更に依存させる日光センサ等のセンサに結合される制御入力を含んでもよい。
【００４１】
図７では、第１及び第２の回路１、２の別の実施形態が示される。第１の回路１では、レジスタ９１が第１の回路の第１の入力端子に結合され、４つのダイオード９２、９３、９４及び９５から成る整流器ブリッジ９２〜９５の第１の入力に結合される。第１の回路１の第２の入力端子は、整流器ブリッジ９２〜９５の第２の入力に結合される。整流器ブリッジ９２〜９５の出力は、オプトカプラ９６、９７のフォトダイオード９６に結合される。第２の回路２では、オプトカプラ９６、９７のトランジスタ９７の第１の主電極が、レジスタ９８を介して第２の回路の第１の出力端子に結合される。トランジスタ９７の第２の主電極は、第２の回路２の第２の出力端子に結合される。第２の回路２では、トランジスタ９９の第１の制御電極は、トランジスタ９７の第１の主電極に結合される。トランジスタ９９の第１の主電極は、レジスタ１００を介して第２の回路２の第１の出力端子に結合される。トランジスタ９９の第２の主電極は、第２の回路２の第２の出力端子に結合される。最後に、コンデンサ１０１は、第２の回路２の第１及び第２の出力端子に結合される。
【００４２】
他の値を排除すること無く、レジスタ９１は、例えば６８ｋオームの値を有してもよく、レジスタ９８は、例えば５０ｋオームの値を有してもよく、レジスタ１００は、例えば１ｋオームの値を有してもよく、平滑化ＤＣ出力電圧を生じさせるコンデンサ１０１は、例えば１０マイクロファラッドの値を有してもよい。トランジスタ９９は、反転機能を有する。入力端子は、例えば従来の調光器の出力に結合されるものである。調光を行わない場合、又は比較的小さな規模で調光を行う場合には、電流は、時間の比較的大きな割合の間フォトダイオード９６を流れ、トランジスタ９７は、時間の比較的大きな割合の間導通し、トランジスタ９９は、導通しない又は時間の比較的小さな割合の間のみ導通し、その後ＤＣ出力電圧を引き下げない又は比較的小さな規模で引き下げ、出力端子間において例えば１〜１０ボルトのＤＣ出力電圧が存在する。比較的大きな規模で調光を行う場合、電流は、時間の比較的小さな割合の間フォトダイオード９６を流れ、トランジスタ９７は、時間の比較的小さな割合の間導通し、トランジスタ９９は、時間の比較的大きな割合の間導通し、その後ＤＣ出力電圧を比較的大きな規模で引き下げ、出力端子間において低下されたＤＣ出力電圧が存在する。
【００４３】
従って、発光ダイオード回路５５を含む光モジュール５を制御する装置は、最低限の状態では、第１の制御情報を検出する第１の回路１であって、第１の制御情報は、電力信号及び制御信号の組み合わせ等の第１の信号によって運ばれる、第１の回路１と、第１の制御情報を第２の制御情報に変換する第２の回路２とを含む。第１及び第２の制御情報は、光モジュール５の光設定を規定する。第２の制御情報の表現は、第１の制御情報の表現とは異なってもよい。第２の制御情報は、制御信号等の第２の信号によって運ばれてもよい。
【００４４】
第１の制御情報は、位相カット情報（従来の調光器によって生成された）、又は第１のデータ（デジタル調光器によって生成された）でもよく、第２の制御情報は、第２の信号のパラメータ又は第２のデータでもよい。第２の信号は、バス規定、プロトコル規定又はインタフェース規定に従ってもよい。前記規定の各々は、既に標準化されたもの若しくはされていないものでもよいし、又は今後標準化されるものでもよい。
【００４５】
第３の回路３は、第１の信号から第３の信号へと電力を変換するように設計され、第３の信号自体を生成する又は第３の信号を生成する為に第４の回路４及びフライバック変圧器６と協働するように設計されてもよい。この第３の信号は、光モジュール５に電力を供給する為の電力信号でもよい。第２及び第３の信号は、装置の同じ出力を介して供給されてもよいし、又はされなくてもよい。好ましくは、第３の信号は、ＤＣ信号でもよく、更に好ましくは、電流が高過ぎる値になることから保護されてもよい。好ましくは、第２の信号は、第１の制御信号によって規定される振幅を有するＤＣ信号でもよい、及び第３の信号は、比較的一定の振幅を有するＤＣ信号でもよい。
【００４６】
別の事例は、存在センサ及び日光センサを使用する。その場合、オフィス照明システムは、変化する日光状態及び変化する占有状態に自動的に対応することができる。一般的に、そのような存在センサからの第１の制御情報（占有情報）は、全光モジュールに送られる位相カット調光情報の形態で運ばれる。開示されるように、オフィス照明システム内で、このような第１の制御情報は、他の制御コマンドとの組み合わせにより適した第２の制御情報へと変換される。実際には、更に、日光情報が例えば１〜１０ボルト信号としての別個の信号によって別個のケーブルを介して運ばれる。オフィス照明システム内で、最も適した光設定を導き出す為に、別個の日光情報が第２の制御情報（変換された占有情報）と組み合わせられる。
【００４７】
第１及び第２の素子は、第３の素子が間に存在すること無く直接結合されてもよいし、又は第３の素子を介して間接的に結合されてもよい。
【００４８】
要約すると、光モジュール５の制御装置は、第１の信号によって運ばれる第１の制御情報を検出する第１の回路１及び第１の制御情報を第２の制御情報に変換する第２の回路２を含む。第２の制御情報は、第２の信号によって運ばれる。第１及び第２の制御情報は、光モジュール５の光設定を規定し、異なる表現を有する。第１の制御情報は、位相カット情報又は第１のデータでもよい。第２の制御情報は、第２の信号のパラメータ又は第２のデータでもよい。この装置は、第１の信号から光モジュール５の電力入力５１向けの第３の信号へと電力を変換する第３の回路３を更に含んでもよい。第２の信号は、光モジュール５の制御入力５２向けでもよい。このようにして、光モジュール５の制御は、光モジュール５の電力供給から切り離されている。より多くの制御選択肢が可能となっている。
【００４９】
図面及び上記の説明において本発明を詳細に図示し説明したが、そのような図示及び説明は、限定的なものではなく、説明の為のもの又は例示的なものであると見なされるべきものであり、本発明は、開示された実施形態に限定されない。開示された実施形態に対する他の変形形態は、図面、開示内容、及び添付の特許請求の範囲の研究から、請求項に係る発明の実施において、当業者によって理解され、もたらされ得る。クレームにおいて、「含む」（“comprising”）という用語は、他の要素又はステップを排除しない、及び不定冠詞「a」又は「an」は、複数を排除しない。特定の手段が互いに異なる従属クレームに記載されているという事実だけでは、これらの手段の組み合わせを有利に使用できないことを意味しない。クレームにおける何れの参照符号も範囲を限定するものと解釈されるものではない。
【図１】
0006436979.tif 000002
【図２】
0006436979.tif 000003
【図３】
0006436979.tif 000004
【図４】
0006436979.tif 000005
【図５】
0006436979.tif 000006
【図６】
0006436979.tif 000007
【図７】
0006436979.tif 000008